【手続補正書】
【提出日】平成28年11月21日(2016.11.21)
【手続補正１】
【補正対象書類名】特許請求の範囲
【補正対象項目名】全文
【補正方法】変更
【補正の内容】
【特許請求の範囲】
【請求項１】
スモールセルデバイスによって実行されるビーコン検出の方法において、
ビーコンパラメータをユーザ機器（ＵＥ）と交換することと、
前記ビーコンパラメータを前記ＵＥと交換した後に、前記スモールセルデバイスのトランシーバの送信部分と受信部分の両方を非アクティブ化に保つことと、前記スモールセルデバイスのリスニングコンポーネントをアクティブ化に保つこととによって、低電力モードに入ることと、
前記低電力モードの間に、前記ビーコンパラメータを含むランダムアクセスチャネル（ＲＡＣＨ）プリアンブル中のビーコンを、前記ＵＥから受信することと、
前記ビーコンを受信することに応答して、高電力モードに入ることと、
前記高電力モードの間に、前記ＵＥと関係付くこととを含む方法。
【請求項２】
前記スモールセルデバイスが前記高電力モードの間に、前記ビーコンパラメータが前記ユーザ機器と交換され、および／または、
前記低電力モードにおいて、前記ビーコンを受信する前記スモールセルデバイスの前記リスニングコンポーネントがアクティブ化され、データパケットを受信する前記スモールセルデバイスの前記トランシーバが非アクティブ化され、
前記高電力モードにおいて、前記スモールセルデバイスの前記リスニングコンポーネントがアクティブ化され、前記スモールセルデバイスの前記トランシーバがアクティブ化される請求項１記載の方法。
【請求項３】
前記ＵＥが前記スモールセルデバイスのカバレッジ中にないとき、前記スモールセルデバイスは、前記低電力モードに入り、および／または、
前記スモールセルデバイスは、フェムトセルユニットであり、および／または、
前記関係付くことは、後続するＲＡＣＨ手順を実行して、セル再選択を完了することを含む請求項１記載の方法。
【請求項４】
ユーザ機器によって実行されるビーコン送信の方法において、
ビーコンパラメータをスモールセルデバイスと交換することと、
前記スモールセルデバイスの存在を検出することと、
前記検出することに応答して、前記ビーコンパラメータを含むランダムアクセスチャネル（ＲＡＣＨ）プリアンブル中のビーコンを、前記スモールセルデバイスに送信することと、
前記スモールセルデバイスと関係付くこととを含み、
前記スモールセルデバイスが、前記スモールセルデバイスのトランシーバの送信部分と受信部分の両方が非アクティブ化されたままであり、前記スモールセルデバイスのリスニングコンポーネントがアクティブ化されたままである、低電力モードの間に、前記スモールセルデバイスの存在が検出され、
前記スモールセルデバイスが高電力モードの間に、前記ビーコンパラメータが前記スモールセルデバイスと交換され、
前記スモールセルデバイスが前記高電力モードの間に、前記ユーザ機器が前記スモールセルデバイスと関係付けられる方法。
【請求項５】
前記関係付くことは、後続するＲＡＣＨ手順を実行して、セル再選択を完了することを含み、および／または、
前記スモールセルデバイスの存在は、隣接マップと、帯域外シグナリングと、位置推定とのうちの少なくとも１つを通して検出される請求項４記載の方法。
【請求項６】
前記ビーコンパラメータを隣接セルデバイスに送信することと、
前記低電力モードの間に、前記隣接セルデバイスが前記ビーコンパラメータを含むランダムアクセスチャネル（ＲＡＣＨ）プリアンブル中のビーコンを前記ＵＥから受信することに応答して、通知を前記隣接セルデバイスから受信することとをさらに含み、
前記隣接セルデバイスは、好ましくは、スモールセルデバイスを含み、または、
前記隣接セルデバイスは、マクロセルデバイスを含み、および／または、
前記通知は、前記スモールセルデバイスへのバックホールを通して受信され、および／または、
前記スモールセルデバイスが前記高電力モードの間に、前記ビーコンパラメータが前記ＵＥと交換される請求項１記載の方法。
【請求項７】
前記低電力モードにおいて、前記通知を受信する前記スモールセルデバイスの前記リスニングコンポーネントがアクティブ化され、データパケットを受信する前記スモールセルデバイスの前記トランシーバが非アクティブ化され、
前記高電力モードにおいて、前記スモールセルデバイスの前記リスニングコンポーネントがアクティブ化され、前記スモールセルデバイスの前記トランシーバがアクティブ化される請求項６記載の方法。
【請求項８】
前記スモールセルデバイスに関係付けられている隣接セルデバイスの存在を検出することと、
前記検出することに応答して、前記ビーコンパラメータを含むランダムアクセスチャネル（ＲＡＣＨ）プリアンブル中のビーコンを、前記隣接セルデバイスに送信することとをさらに含み、
前記隣接セルデバイスの存在は、好ましくは、隣接マップと、帯域外シグナリングと、位置推定とのうちの少なくとも１つを通して検出される請求項７記載の方法。
【請求項９】
前記ビーコンパラメータを第１の隣接セルデバイスに送信することと、
前記ビーコンパラメータを前記ＵＥと交換した後に、前記スモールセルデバイスのトランシーバの送信部分と受信部分の両方を非アクティブ化に保つことと、前記スモールセルデバイスのリスニングコンポーネントをアクティブ化に保つこととによって、低電力モードに入ることと、
前記低電力モードの間に、（ｉ）前記スモールセルデバイスの識別子を含むランダムアクセスチャネル（ＲＡＣＨ）メッセージ中のビーコンと、（ｉｉ）前記第１の隣接セルデバイスが前記スモールセルデバイスの識別子を含む前記ＵＥからのＲＡＣＨメッセージ中のビーコンを検出することに応答した、前記第１の隣接セルデバイスからの通知とのうちの少なくとも１つを受信することと、
前記ビーコンと前記通知とのうちの少なくとも１つを受信することに応答して、高電力モードに入ることと、
前記高電力モードの間に、前記ＵＥと関係付くこととをさらに含み、
前記識別子は、好ましくは、ＳＲＮＣ−ＩＤを含み、および／または、
前記通知は、前記ＵＥが前記ＲＡＣＨメッセージを送信した前記第１の隣接セルデバイスから受信され、または、
前記通知は、前記ＵＥが前記ＲＡＣＨメッセージを送信した第２の隣接セルデバイスとは異なる前記第１の隣接セルデバイスから受信される請求項７記載の方法。
【請求項１０】
隣接セルデバイスの存在を検出することと、
前記隣接セルデバイスを検出することに応答して、前記ビーコンパラメータを含むランダムアクセスチャネル（ＲＡＣＨ）メッセージ中のビーコンを送信することとをさらに含み、
前記スモールセルデバイスが、前記スモールセルデバイスのトランシーバの送信部分と受信部分の両方が非アクティブ化されたままであり、前記スモールセルデバイスのリスニングコンポーネントがアクティブ化されたままである、低電力モードの間に、前記隣接セルデバイスの存在が検出され、
前記ＲＡＣＨメッセージが、好ましくは、前記検出された隣接セルデバイスに送信され、および／または、
前記スモールデバイスの識別子が、担当無線ネットワーク制御識別子（ＳＲＮＣ−ＩＤ）を含む請求項７記載の方法。
【請求項１１】
第２の隣接セルデバイスが前記ＵＥからの前記ＲＡＣＨメッセージを拒絶するとき、前記スモールセルデバイスは、前記ＲＡＣＨメッセージ中の前記ビーコンを受信する請求項９記載の方法。
【請求項１２】
前記第２の隣接セルデバイスが前記ＵＥからの前記ＲＡＣＨメッセージを拒絶するとき、前記第１の隣接セルデバイスは、前記スモールセルデバイスの前記識別子を含む前記ＵＥからの前記ＲＡＣＨメッセージ中の前記ビーコンを検出する請求項９記載の方法。
【請求項１３】
前記スモールセルデバイスの前記リスニングコンポーネントは、隣接セルデバイス発見と、干渉管理と、モビリティ管理とのうちの少なくとも１つに対するものであり、および／または、
前記ビーコンパラメータは、アクセススロットと、プリアンブルスクランブルコードと、プリアンブル署名と、データ部分に対する拡散係数と、各アクセスサービスクラスに対して利用可能な署名およびサブチャネルと、電力制御情報とのうちの少なくとも１つを含んでいる請求項１記載の方法。
【請求項１４】
ビーコン検出のための装置において、
ビーコンパラメータをユーザ機器（ＵＥ）と交換する手段と、
前記ビーコンパラメータを前記ＵＥと交換した後に、前記装置のトランシーバの送信部分と受信部分の両方を非アクティブ化に保つことと、前記装置のリスニングコンポーネントをアクティブ化に保つこととによって、低電力モードに入る手段と、
前記装置が前記低電力モードの間に、前記ビーコンパラメータを含むランダムアクセスチャネル（ＲＡＣＨ）プリアンブル中のビーコンを、前記ＵＥから受信する手段と、
前記ビーコンを受信することに応答して、高電力モードに入る手段と、
前記装置が前記高電力モードの間に、前記ＵＥと関係付く手段とを具備する装置。
【請求項１５】
ビーコン検出のための装置において、
コンピュータ読取可能記憶媒体を具備し、
前記コンピュータ読取可能記憶媒体は、
コンピュータ上で実行されるとき、前記コンピュータに、請求項１から１３のうちのいずれかの方法を実行させるコードを含む装置。